(57)【特許請求の範囲】
【請求項１】
下階の柱の上に上階の柱を立設してなる建物の柱構造において、下階の柱の断面の外郭寸法を上階の柱の断面の外郭寸法より大きく設定して、各階の相対する柱のそれぞれに接続具を接合し、両接続具に梁を架け渡すに際し、各梁の長さを互いに同一にすると共に、該接続具を溝形状に曲げ加工して、前記梁の端部が該接続具の溝の内側に嵌合されて突き合わせ溶接されることを特徴とする梁の建物の柱構造。
【請求項２】
前記下階の柱の板厚を上階の柱の板厚より大きく設定してなることを特徴とする請求項１記載の建物の柱構造。
【請求項３】
下階建物ユニットの上に上階建物ユニットを搭載してなるユニット建物において、下階建物ユニットと上階建物ユニットの平面視での外寸を等しくしながら、下階建物ユニットの柱の断面の外郭寸法を上階建物ユニットの柱の断面の外郭寸法より大きく設定して、各階の相対する柱のそれぞれに接続具を接合し、両接続具に梁を架け渡すに際し、各梁の長さを互いに同一にすると共に、該接続具を溝形状に曲げ加工して、前記梁の端部を該接続具の溝の内側に嵌合されて突き合わせ溶接されることを特徴とするユニット建物。
【請求項４】
前記下階建物ユニットの柱の板厚を上階建物ユニットの柱の板厚より大きく設定してなることを特徴とする請求項３記載の建物の柱構造。
【請求項５】
前記下階建物ユニットの柱の屋外側の側面と上階建物ユニットの柱の屋外側の側面を平面視で合致させることを特徴とする請求項３又は４に記載のユニット建物。
【請求項６】
前記下階建物ユニットの柱の頭部と上階建物ユニットの柱の脚部の一方に設けられるガイドピンを、他方に設けられるガイド孔に嵌合して両建物ユニットを位置合わせするに際し、ガイドピンの位置を上階建物ユニットの柱の軸芯に設定することを特徴とする各請求項３乃至５のいずれかに記載のユニット建物。
【請求項７】
前記下階建物ユニットが相対する柱のそれぞれに接続具を接合し、両接続具に梁を架け渡して構成され、前記上階建物ユニットが相対する柱のそれぞれに接続具を接合し、両接続具に梁を架け渡して構成され、下階建物ユニットの梁の長さと上階建物ユニットの梁の長さを同一に設定してなることを特徴とする各請求項３乃至６のいずれかに記載のユニット建物。
【請求項８】
平面視での外寸を等しくしながら、柱の断面の外郭寸法を異にする複数の建物ユニットを作り分ける、建物ユニットの製造方法であって、各建物ユニットにおいて相対する柱のそれぞれに接続具を接合し、両接続具に梁を架け渡すに際し、各建物ユニットの梁の長さを互いに同一にすると共に、該接続具を溝形状に曲げ加工して、前記梁の端部が該接続具の溝の内側に嵌合されて突き合わせ溶接されることを特徴とする建物ユニットの製造方法。
【発明の詳細な説明】
【０００１】
【発明の属する技術分野】
本発明は、建物の柱構造及びユニット建物並びに建物ユニットの製造方法に関する。
【０００２】
【従来の技術】
ユニット建物として、特許2856646に記載の如く、１階建物ユニット１の上に２階建物ユニット２を搭載し、２階建物ユニット２の上に３階建物ユニット３を搭載してなるものがある（図６）。このユニット建物では、下階建物ユニットの耐力を上階建物ユニットの耐力より大きくする必要があり、１階建物ユニット１や２階建物ユニット２にサブラーメン（又は補強柱）４、５を設けている。
【０００３】
【発明が解決しようとする課題】
従来技術では、１階建物ユニット１や２階建物ユニット２にサブラーメン４、５を設けるものであるため、１階建物ユニット１や２階建物ユニット２の屋内の間取りの制約となり、広い空間や広い間口が取り難い。
【０００４】
尚、下階建物ユニットの耐力を確保するために、下階建物ユニットの柱の板厚を大きくすることも考えられる。しかしながら、３階建て等の高層のユニット建物で、１階建物ユニット１や２階建物ユニット２のサブラーメン４、５を取り除くには、１階建物ユニット１や２階建物ユニット２の柱の板厚アップだけでは対応できない。また、板厚が例えば9mmを越える鋼製角柱では、加工コストが飛躍的に高くなり、採用し難い。
【０００５】
本発明の課題は、下階の屋内の間取りを制約せずに、下階の耐力を簡易に確保することにある。
【０００６】
本発明の他の課題は、下階建物ユニットの屋内の間取りを制約せずに、下階建物ユニットの耐力を簡易に確保することにある。
【０００７】
本発明の他の課題は、複数の建物ユニットを作り分けるに際し、部品の品種数を少なくし、生産管理上の負担を少なくすることにある。
【０００８】
【課題を解決するための手段】
請求項１の発明は、下階の柱の上に上階の柱を立設してなる建物の柱構造において、下階の柱の断面の外郭寸法を上階の柱の断面の外郭寸法より大きく設定して、各階の相対する柱のそれぞれに接続具を接合し、両接続具に梁を架け渡すに際し、各梁の長さを互いに同一にすると共に、該接続具を溝形状に曲げ加工して、前記梁の端部が該接続具の溝の内側に嵌合されて突き合わせ溶接される梁の建物の柱構造を特徴としている。
【０００９】
請求項２の発明は、前記下階の柱の板厚を上階の柱の板厚より大きく設定してなることを特徴とする請求項１記載の建物の柱構造。
【００１０】
請求項３の発明は、下階建物ユニットの上に上階建物ユニットを搭載してなるユニット建物において、下階建物ユニットと上階建物ユニットの平面視での外寸を等しくしながら、下階建物ユニットの柱の断面の外郭寸法を上階建物ユニットの柱の断面の外郭寸法より大きく設定して、各階の相対する柱のそれぞれに接続具を接合し、両接続具に梁を架け渡すに際し、各梁の長さを互いに同一にすると共に、該接続具を溝形状に曲げ加工して、前記梁の端部を該接続具の溝の内側に嵌合されて突き合わせ溶接されるユニット建物を特徴としている。
【００１１】
請求項４の発明は、前記下階建物ユニットの柱の板厚を上階建物ユニットの柱の板厚より大きく設定してなる請求項３記載の建物の柱構造を特徴としている。
【００１２】
請求項５の発明は、前記下階建物ユニットの柱の屋外側の側面と上階建物ユニットの柱の屋外側の側面を平面視で合致させる請求項３又は４に記載のユニット建物を特徴としている。
【００１３】
請求項６の発明は、前記下階建物ユニットの柱の頭部と上階建物ユニットの柱の脚部の一方に設けられるガイドピンを、他方に設けられるガイド孔に嵌合して両建物ユニットを位置合わせするに際し、ガイドピンの位置を上階建物ユニットの柱の軸芯に設定する各請求項３乃至５のいずれかに記載のユニット建物を特徴としている。
【００１４】
請求項７の発明は、前記下階建物ユニットが相対する柱のそれぞれに接続具を接合し、両接続具に梁を架け渡して構成され、前記上階建物ユニットが相対する柱のそれぞれに接続具を接合し、両接続具に梁を架け渡して構成され、下階建物ユニットの梁の長さと上階建物ユニットの梁の長さを同一に設定してなる各請求項３乃至６のいずれかに記載のユニット建物を特徴としている。
【００１５】
請求項８の発明は、平面視での外寸を等しくしながら、柱の断面の外郭寸法を異にする複数の建物ユニットを作り分ける、建物ユニットの製造方法であって、各建物ユニットにおいて相対する柱のそれぞれに接続具を接合し、両接続具に梁を架け渡すに際し、各建物ユニットの梁の長さを互いに同一にすると共に、該接続具を溝形状に曲げ加工して、前記梁の端部が該接続具の溝の内側に嵌合されて突き合わせ溶接される建物ユニットの製造方法を特徴としている。
【００１６】
【作用】
請求項１の発明によれば下記▲１▼の作用がある。
▲１▼建物において、下階の柱の断面の外郭寸法を大きく設定したから、下階の柱の断面性能を向上し、下階の柱の耐力を向上できる。柱の板厚アップだけで断面性能を向上し、下階の柱の耐力を向上できる。柱の板厚アップだけで断面性能を向上しようとする場合に比して、板厚を薄く、加工コストを低く抑えることができ、下階の耐力を確保できる。従って、下階にサブラーメンや補強柱等を設けて補強する必要がなく、下階の屋内の間取りを制約せず、広い空間や広い開口を確保しながら、下階の耐力を簡易に確保できる。また、上階から下階の外側にバルコニー等を張り出すオーバーハング工法の拡充を図ることもできる。
【００１７】
請求項２の発明によれば下記▲２▼の作用がある。
▲２▼上述▲１▼において、更に、下階の柱の板厚を上階の柱の板厚より大きく設定することにより、下階の柱の耐力をより向上できる。
【００１８】
請求項３の発明によれば下記▲３▼、▲４▼の作用がある。
▲３▼ユニット建物において、下階建物ユニットの柱の断面の外郭寸法を大きく設定したから、下階建物ユニットの柱の断面性能を向上し、下階建物ユニットの柱の耐力を向上できる。柱の板厚アップだけで断面性能を向上しようとする場合に比して、板厚を薄く、加工コストを低く抑えることができ、下階建物ユニットの柱の耐力を簡易に確保できる。従って、下階建物ユニットにサブラーメンや補強柱等を設けて補強する必要がなく、下階建物ユニットの屋内の間取りを制約せず、広い空間や広い開口を確保しながら、下階建物ユニットの耐力を簡易に確保できる。また、上階建物ユニットから下階建物ユニットの外側にバルコニー等を張り出すオーバーハング工法の拡充を図ることができる。
【００１９】
▲４▼下階建物ユニットと上階建物ユニットの外寸が変わらないので、それらのモジュールを統一化でき、それらの部品や納まりの共通化を図ることができ、それらの生産性を向上できるし、輸送上の不都合を招くこともない。
【００２０】
請求項４の発明によれば下記▲５▼の作用がある。
▲５▼上述▲３▼において、更に、下階建物ユニットの柱の板厚を上階建物ユニットの柱の板厚より大きく設定することにより、下階建物ユニットの柱の耐力をより向上できる。
【００２１】
請求項５の発明によれば下記▲６▼の作用がある。
▲６▼下階建物ユニットの柱の屋外側の側面と上階建物ユニットの柱の屋外側の側面を平面視で合致させることにより、断面の外郭寸法が小さい上階建物ユニットの柱をより屋外側に配置するものとなり、上階建物ユニットの屋内空間をより広くとれる。
【００２２】
請求項６の発明によれば下記▲７▼の作用がある。
▲７▼断面の外郭寸法が小さい上階建物ユニットの柱の軸芯に上下階の位置合せのためのガイドピンを設定した。従って、この上階建物ユニットと同一仕様の建物ユニットをユニット建物内の低層部の上下階に適用しようとするとき、これら上下階の建物ユニットの柱の軸芯に位置するガイドピンを用いてそれら上下階の建物ユニットを安定的に位置合わせできる。即ち、同一仕様の建物ユニットをユニット建物の積層の安定を確保しながら、高層部の上階建物ユニットと低層部の建物ユニットの両方に併用できる標準建物ユニットとし、建物ユニットの共通化、柱の端部に取着されてガイドピン又はガイド孔を備えるフタプレート等の部品の共通化による部品点数の削減を図ることができる。
【００２３】
請求項７の発明によれば下記▲８▼の作用がある。
▲８▼前述▲３▼の下階建物ユニットと上階建物ユニットにおいて両者の柱の断面の外郭寸法を異にするとき、両者の梁の長さを同一にし、両者のそれぞれにおける柱と梁の端部との間隔の変化をそれらの接続具に対する梁の接合位置の設定により吸収する。これにより、両者における柱の断面の外郭寸法の相違にもかかわらず、両者の梁の長さを同一にできるから、梁の長さを異にするものに比して、両者を構成する部品の品種数を少なくし、生産管理上の負担を少なくできる。
【００２４】
請求項８の発明によれば下記▲９▼の作用がある。
▲９▼平面視での外寸を等しくしながら、柱の断面の外郭寸法を異にする複数の建物ユニットを作り分けるに際し、それら複数の建物ユニットの梁の長さを同一にし、それら複数の建物ユニットのそれぞれにおける柱と梁の端部との間隔の変化をそれらの接続具に対する梁の接合位置の設定により吸収する。これにより、それら複数の建物ユニットにおける柱の断面の外郭寸法の相違にもかかわらず、それら複数の建物ユニットの梁の長さを同一にできるから、梁の長さを異にするものに比して、それら複数の建物ユニットを構成する部品の品種数を少なくし、生産管理上の負担を少なくできる。
【００２５】
【発明の実施の形態】
図１はユニット建物を示す正面図、図２は基礎と１階建物ユニットの接合部を示し、（Ａ）は縦断面図、（Ｂ）は横断面図、図３は１階建物ユニットと２階建物ユニットの接合部を示し、（Ａ）は縦断面図、（Ｂ）は横断面図、図４は２階建物ユニットと３階建物ユニットの接合部を示し、（Ａ）は縦断面図、（Ｂ）は横断面図、図５は柱と梁の接合仕口の変形例を示し、（Ａ）は１階建物ユニットの接合仕口を示す横断面図、（Ｂ）は３階建物ユニットの接合仕口を示す横断面図、図６は１階建物ユニットと２階建物ユニットと３階建物ユニットの接合部を示す縦断面図、図７は従来のユニット建物を示す正面図である。
【００２６】
図１の３階建てユニット建物１０は、基礎１１の上に、３階建ての高層部２０と、２階建ての低層部６０とを有し、高層部２０と低層部６０を以下の如くに構築している。
【００２７】
（高層部２０）
高層部２０は、基礎１１の上に１階建物ユニット２１を、１階建物ユニット２１の上に２階建物ユニット２２を、２階建物ユニット２２の上に３階建物ユニット２３を搭載している。
【００２８】
１階建物ユニット２１は、４本の角鋼管製柱２１Ａの下端部と上端部のそれぞれに、４本の形鋼製床梁２１Ｂと４本の形鋼製天井梁２１Ｃのそれぞれを接合した骨組構造体である。
【００２９】
２階建物ユニット２２は、４本の角鋼管製柱２２Ａの下端部と上端部のそれぞれに、４本の形鋼製床梁２２Ｂと４本の形鋼製天井梁２２Ｃのそれぞれを接合した骨組構造体である。
【００３０】
３階建物ユニット２３は、４本の角鋼管製柱２３Ａの下端部と上端部のそれぞれに、４本の形鋼製床梁２３Ｂと４本の形鋼製天井梁２３Ｃのそれぞれを接合した骨組構造体である。
【００３１】
このとき、１階建物ユニット２１と２階建物ユニット２２と３階建物ユニット２３の平面視での外寸を等しくし、１階建物ユニット２１の柱２１Ａの屋外側の側面と、２階建物ユニット２２の柱２２Ａの屋外側の側面と、３階建物ユニット２３の柱２３Ａの屋外側の側面を平面視で合致させている。
【００３２】
また、１階建物ユニット２１の柱２１Ａの断面の外郭寸法を例えば120mm×120mm、柱２１Ａの板厚を例えば9.0mmとし、２階建物ユニット２２の柱２２Ａの断面の外郭寸法を例えば120mm×120mm、柱２２Ａの板厚を例えば6.0mmとし、３階建物ユニット２３の柱２３Ａの断面の外郭寸法を例えば100mm×100mm、柱２３Ａの板厚を例えば4.5mmとし、１階建物ユニット２１、２階建物ユニット２２にはサブラーメンや補強柱を設けていない。即ち、１階建物ユニット２１、２階建物ユニット２２の柱２１Ａ、２２Ａ（下階建物ユニットの柱）の断面の外郭寸法（120mm）を、３階建物ユニット２３の柱２３Ａ（上階建物ユニットの柱）の断面の外郭寸法（100mm）より大きく設定している。また、１階建物ユニット２１と２階建物ユニット２２の間では、１階建物ユニット２１の柱２１Ａ（下階建物ユニットの柱）の板厚（9.0mm）を２階建物ユニット２２の柱２２Ａ（上階建物ユニットの柱）の板厚（6.0mm）より大きく設定し、２階建物ユニット２２と３階建物ユニット２３の間では、２階建物ユニット２２の柱２２Ａ（下階建物ユニット）の板厚（6.0mm）を３階建物ユニット２３の柱２３Ａ（上階建物ユニットの柱）の板厚（4.5mm）より大きく設定している。
【００３３】
また、基礎１１と１階建物ユニット２１の接合部では、図２に示す如く、基礎１１に設けたアンカーボルト１２に、１階建物ユニット２１の柱２１Ａと床梁２１Ｂのジョイントプレート３１を締結している。
【００３４】
また、１階建物ユニット２１と２階建物ユニット２２の接合部では、図３に示す如く、１階建物ユニット２１の柱２１Ａの頭部に設けたフタプレート４１に取着したガイドピン４１Ａを、２階建物ユニット２２の柱２２Ａの脚部に設けたフタプレート４２に形成したガイド孔４２Ａに嵌合して両建物ユニット２１、２２を位置合せし、１階建物ユニット２１の柱２１Ａと天井梁２１Ｃのジョイントプレート４３と、２階建物ユニット２２の柱２２Ａと床梁２２Ｂのジョイントプレート４４をボルト４５で締結している。
【００３５】
また、２階建物ユニット２２と３階建物ユニット２３の接合部では、図４に示す如く、２階建物ユニット２２の柱２２Ａの頭部に設けたフタプレート５１に取着したガイドピン５１Ａを、３階建物ユニット２３の柱２３Ａの脚部に設けたフタプレート５２に形成したガイド孔５２Ａに嵌合して両建物ユニット２２、２３を位置合せし、２階建物ユニット２２の柱２２Ａと天井梁２２Ｃのジョイントプレート５３と、３階建物ユニット２３の柱２３Ａと床梁２３Ｂのジョイントプレート５４をボルト５５で締結している。
【００３６】
このとき、１階建物ユニット２１と２階建物ユニット２２の位置合わせするガイドピン４１Ａの位置を柱２１Ａ、２２Ａの外側コーナーに対し妻方向距離Ｘ＝50mm、桁方向距離Ｙ＝50mmとし、２階建物ユニット２２と３階建物ユニット２３を位置合せするガイドピン５１Ａの位置を柱２２Ａ、２３Ａの外側コーナーに対し妻方向距離Ｘ＝50mm、桁方向距離Ｙ＝50mmとしている。即ち、ガイドピン４１Ａ、５１Ａの位置を３階建物ユニット２３（上階建物ユニット）の柱２３Ａ（外郭寸法100mm）の軸芯に設定している。
（低層部６０）
【００３７】
低層部６０は、基礎１１の上に１階建物ユニット６１を、１階建物ユニット６１の上に２階建物ユニット６２を搭載している。
【００３８】
１階建物ユニット６１は、４本の角鋼管製柱６１Ａの下端部と上端部のそれぞれに、４本の形鋼製床梁６１Ｂと４本の形鋼製天井梁６１Ｃのそれぞれを接合した骨組構造体である。
【００３９】
２階建物ユニット６２は、４本の角鋼管製柱６２Ａの下端部と上端部のそれぞれに、４本の形鋼製床梁６２Ｂと４本の形鋼製天井梁６２Ｃのそれぞれを接合した骨組構造体である。
【００４０】
このとき、１階建物ユニット６１と２階建物ユニット６２の平面視での外寸を等しくし、１階建物ユニット６１の柱６１Ａの屋外側の側面と、２階建物ユニット６２の柱６２Ａの屋外側の側面を平面視で合致させている。
【００４１】
また、１階建物ユニット６１と相隣る高層部２０の１階建物ユニット２１の側面視での外寸を等しくし、１階建物ユニット６１の柱６１Ａの屋外側の側面と、１階建物ユニット２１の柱２１Ａの屋外側の側面を側面視で合致させている。
【００４２】
また、２階建物ユニット６２と相隣る低層部２０の２階建物ユニット２２の側面視での外寸を等しくし、２階建物ユニット６２の柱６２Ａの屋外側の側面と、２階建物ユニット２２の柱２２Ａの屋外側の側面を側面視で合致させている。
【００４３】
また、１階建物ユニット６１の柱６１Ａの断面の外郭寸法を例えば100mm×100mm、柱６１Ａの板厚を例えば6.0mmとし、２階建物ユニット６２の柱６２Ａの断面の外郭寸法を例えば100mm×100mm、柱６２Ａの板厚を例えば4.5mmとしている。即ち、同一階で隣接する１階建物ユニット２１の柱２１Ａの外郭寸法（120mm）と１階建物ユニット６１の柱６１Ａの外郭寸法（100mm）を同一にしていないし、同じく同一階で隣接する２階建物ユニット２２の柱２２Ａの外郭寸法（120mm）と２階建物ユニット６２の柱６２Ａの外郭寸法（100mm）を同一にしていない。
【００４４】
従って、ユニット建物１０にあっては、高層部２０の柱構造を前述の如くにしたから、以下の作用がある。
【００４５】
▲１▼ユニット建物１０において、下階建物ユニット２１、２２の柱２１Ａ、２２Ａの断面の外郭寸法を大きく設定したから、下階建物ユニット２１、２２の柱２１Ａ、２２Ａの断面性能を向上し、下階建物ユニット２１、２２の柱２１Ａ、２２Ａの耐力を向上できる。柱の板厚アップだけで断面性能を向上しようとする場合に比して、板厚を薄く、加工コストを低く抑えることができ、下階建物ユニット２１、２２の柱２１Ａ、２２Ａの耐力を簡易に確保できる。従って、下階建物ユニット２１、２２にサブラーメンや補強柱等を設けて補強する必要がなく、下階建物ユニット２１、２２の屋内の間取りを制約せず、広い空間や広い開口を確保しながら、下階建物ユニット２１、２２の耐力を簡易に確保できる。また、上階建物ユニット２３から下階建物ユニット２１、２２の外側にバルコニー等を張り出すオーバーハング工法の拡充を図ることができる。
【００４６】
▲２▼下階建物ユニット２１、２２と上階建物ユニット２３の外寸が変わらないので、それらのモジュールを統一化でき、それらの部品や納まりの共通化を図ることができ、それらの生産性を向上できるし、輸送上の不都合を招くこともない。
【００４７】
▲３▼上述▲１▼において、更に、下階建物ユニット２１、２２の柱２１Ａ、２２Ａの板厚を上階建物ユニット２３の柱２３Ａの板厚より大きく設定することにより、下階建物ユニット２１、２２の柱２１Ａ、２２Ａの耐力をより向上できる。
【００４８】
▲４▼下階建物ユニット２１、２２の柱２１Ａ、２２Ａの屋外側の側面と上階建物ユニット２３の柱２３Ａの屋外側の側面を正面視で合致させることにより、断面の外郭寸法が小さい上階建物ユニット２３の柱２３Ａをより屋外側に配置するものとなり、上階建物ユニット２３の屋内空間をより広くとれる。
【００４９】
▲５▼断面の外郭寸法が小さい上階建物ユニット２３の柱２３Ａの軸芯に上下階の位置合せのためのガイドピン４１Ａ、５１Ａを設定した。従って、この上階建物ユニット２３と同一仕様の建物ユニットをユニット建物１０内の低層部の上下階に適用しようとするとき、これら上下階の建物ユニット６１、６２の柱６１Ａ、６２Ａの軸芯に位置するガイドピンを用いてそれら上下階の建物ユニット６２、６２を安定的に位置合せできる。即ち、同一仕様の建物ユニット２３、６１、６２をユニット建物１０の積層の安定を確保しながら、高層部の上階建物ユニット２３と低層部の建物ユニット６１、６２の両方に併用できる標準建物ユニットとし、建物ユニットの共通化、柱の端部に取着されてガイドピン又はガイド孔を備えるフタプレート等の部品の共通化による部品点数の削減を図ることができる。
【００５０】
図１の３階建ユニット建物１０において高層部２０を構成する１階建物ユニット２１及び２階建物ユニット２２と、３階建物ユニット２３とでは、１階建物ユニット２１及び２階建物ユニット２２の柱２１Ａ、２２Ａの断面の外郭寸法を例えば前述の如く120mm×120mmとし、３階建物ユニット２３の柱２３Ａの断面の外郭寸法を例えば前述の如く100mm×100mmとしている。このとき、１階建物ユニット２１及び２階建物ユニット２２と３階建物ユニット２３とはそれらの平面視での外寸を前述の如く等しくしているから、１階建物ユニット２１において相対する柱２１Ａ、２１Ａの間隔（２階建物ユニット２２において相対する柱２２Ａ、２２Ａの間隔も同じ）は、３階建物ユニット２３において相対する柱２３Ａ、２３Ａの間隔より片側20mm短くなる。このため、１階建物ユニット２１において相対する柱２１Ａ、２１Ａの間隔（２階建物ユニット２２において相対する柱２２Ａ、２２Ａの間隔も同じ）と３階建物ユニット２３において相対する柱２３Ａ、２３Ａの間隔の上記相違に対応すべく、１階建物ユニット２１の床梁２１Ｂ、天井梁２１Ｃの長さを３階建物ユニット２３の床梁２３Ｂ、天井梁２３Ｃの長さより全長で40mm短くすることが考えられるが、この場合には後述する理由により、建物ユニット２１〜２３を構成する梁（床梁２１Ｂ〜２３Ｂ、天井梁２１Ｃ〜２３Ｃ）の品種数が極めて多数になる。そこで、建物ユニット２１〜２３を構成する部品の品種数を少なくするため、建物ユニット２１〜２３の柱と梁の接合仕口を図５、図６に示す如くに変形し、建物ユニット２１〜２３を以下の如くに作り分けるものとした。
【００５１】
１階建物ユニット２１を製造するに際し、前述の如く、１階建物ユニット２１において相対する柱２１Ａのそれぞれにジョイントプレート（接続具）３１、４３を接合し、両ジョイントプレート３１、３１に床梁２１Ｂを架け渡すように接合し、両ジョイントプレート４３、４３に天井梁２１Ｃを架け渡すように接合する。ジョイントプレート３１、４３は溝形状に曲げ加工されて柱２１Ａの側面に突き合せ溶接され、各ジョイントプレート３１、４３の内側に床梁２１Ｂ、天井梁２１Ｃの端部が嵌合されて突き合せ溶接される。このとき、ジョイントプレート３１、４３の長さは、例えば180mmとされる（図５（Ａ））。
【００５２】
２階建物ユニット２２を製造するに際し、前述の如く、２階建物ユニット２２において相対する柱２２Ａのそれぞれにジョイントプレート（接続具）４４、５３を接合し、両ジョイントプレート４４、４４に床梁２２Ｂを架け渡すように接合し、両ジョイントプレート５３、５３に天井梁２２Ｃを架け渡すように接合する。ジョイントプレート４４、５３は溝形状に曲げ加工されて柱２２Ａの側面に突き合せ溶接され、各ジョイントプレート４４、５３の内側に床梁２２Ｂ、天井梁２２Ｃの端部が嵌合されて突き合せ溶接される。このとき、ジョイントプレート３１、４３の長さは、例えば180mmとされる（図５（Ａ）と同じ）。
【００５３】
３階建物ユニット２３を製造するに際し、前述の如く、３階建物ユニット２３において相対する柱２３Ａのそれぞれにジョイントプレート（接続具）５４、５６（５６は不図示）を接合し、両ジョイントプレート５４、５４に床梁２３Ｂを架け渡すように接合し、両ジョイントプレート５６、５６に天井梁２３Ｃを架け渡すように接合する。ジョイントプレート５４、５６は溝形状に曲げ加工されて柱２３Ａの側面に突き合せ溶接され、各ジョイントプレート５４、５６の内側に床梁２３Ｂ、天井梁２３Ｃの端部が嵌合されて突き合せ溶接される。このとき、ジョイントプレート５４、５６の長さは、例えば200mmとされる（図５（Ｂ））。
【００５４】
そして、本実施形態では、各建物ユニット２１〜２３において、それらの床梁２１Ｂ〜２３Ｂ、天井梁２１Ｃ〜２３Ｃの長さを互いに同一にした。
【００５５】
このとき、１階建物ユニット２１のジョイントプレート３１、４３の長さ、２階建物ユニット２２のジョイントプレート４４、５３の長さは180mm、３階建物ユニット２３のジョイントプレート５４、５６の長さは200mmとし、１階建物ユニット２１において相対する柱２１Ａ、２１Ａの間隔（２階建物ユニット２２において相対する柱２２Ａ、２２Ａの間隔も同じ）が、３階建物ユニット２３において相対する柱２３Ａ、２３Ａの間隔より片側20mm短くなる分だけ、１階建物ユニット２１と２階建物ユニット２２のジョイントプレート３１、４３、４４、５３の長さを３階建物ユニット２３のジョイントプレート５４、５６の長さより短くした。これにより、１階建物ユニット２１の床梁２１Ｂ、天井梁２１Ｃがジョイントプレート３１、４３に嵌合する長さ（２階建物ユニット２２の床梁２２Ｂ、天井梁２２Ｃがジョイントプレート４４、５３に嵌合する長さも同じ）と３階建物ユニット２３の床梁２３Ｂ、天井梁２３Ｃがジョイントプレート５４、５６に嵌合する長さをともに170mmで同一にした。
【００５６】
従って、本実施形態によれば以下の作用がある。
▲１▼下階建物ユニット２１、２２と上階建物ユニット２３において、図６に示す如く、両者の柱２１Ａ、２２Ａと柱２３Ａの断面の外郭寸法を異にするとき、両者の梁（床梁２１Ｂ〜２３Ｂ、天井梁２１Ｃ〜２３Ｃ）の長さを同一にし、両者のそれぞれにおける柱２１Ａ〜２３Ａと梁（２１Ｂ〜２３Ｂ、２１Ｃ〜２３Ｃ）の端部との間隔の変化をそれらのジョイントプレート（３１、４３、４４、５３、５４、５６）に対する梁（床梁２１Ｂ〜２３Ｂ、天井梁２１Ｃ〜２３Ｃ）の接合位置の設定により吸収する。これにより、両者における柱２１Ａ〜２３Ａの断面の外郭寸法の相違にもかかわらず、両者の梁（床梁２１Ｂ〜２３Ｂ、天井梁２１Ｃ〜２３Ｃ）の長さを同一にできるから、梁の長さを異にするものに比して、両者を構成する部品の品種数を少なくし、生産管理上の負担を少なくできる。
【００５７】
尚、建物ユニットを構成する梁の品種は、本来的に、ユニットサイズの相違、妻梁（短尺方向梁）と桁梁（長尺方向梁）の相違、床梁と天井梁の相違等により異なる多数の品種に及んでおり、これが更に柱の断面の外郭寸法の相違を吸収するために長さを異にするものを別品種として用意するものとすれば、その品種数は一挙２倍になって極めて多数になる。これに対し、柱と梁のジョイントプレート（接続具）の品種は、例えばユニットサイズの相違、妻梁と桁梁の相違によっても共通化する等、梁の場合に比して本来的に少なく、柱の断面の外郭寸法の相違を吸収するために異なるものを別品種として用意し、その品種数が倍になっても生産管理上の負担は少ない。
【００５８】
▲２▼１階建物ユニット２１において相対する柱２１Ａ、２１Ａの間隔（２階建物ユニット２２において相対する柱２２Ａ、２２Ａの間隔も同じ）が３階建物ユニット２３において相対する柱２３Ａ、２３Ａの間隔より短くなる分だけ、１階建物ユニット２１と２階建物ユニット２２のジョイントプレート３１、４３、４４、５３の長さを３階建物ユニット２３のジョイントプレート５４、５６の長さより短くした。これにより、１階建物ユニット２１の床梁２１Ｂ、天井梁２１Ｃがジョイントプレート３１、４３に嵌合する長さ（２階建物ユニット２２の床梁２２Ｂ、天井梁２２Ｃがジョイントプレート４４、５３に嵌合する長さも同じ）と３階建物ユニット２３の床梁２３Ｂ、天井梁２３Ｃがジョイントプレート５４、５６に嵌合する長さを同一にできる。
【００５９】
但し、本発明では、下階建物ユニット用の接続具の長さと上階建物ユニット用の接続具の長さを必ずしも異ならせることを要しない。下階建物ユニット用の接続具と上階建物ユニット用の接続具は、異ならせることを必須とせず、共通化しても良い。
【００６０】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明はユニット建物に限らず、一般の建物の柱構造にも適用できる。
【００６１】
【発明の効果】
以上のように本発明によれば、下階の屋内の間取りを制約せずに、下階の耐力を簡易に確保することができる。また、本発明によれば、下階建物ユニットの屋内の間取りを制約せずに、下階建物ユニットの耐力を簡易に確保することができる。また、本発明によれば、複数の建物ユニットを作り分けるに際し、部品の品種数を少なくし、生産管理上の負担を少なくすることができる。
【図面の簡単な説明】
【図１】図１はユニット建物を示す正面図である。
【図２】図２は基礎と１階建物ユニットの接合部を示し、（Ａ）は縦断面図、（Ｂ）は横断面図である。
【図３】図３は１階建物ユニットと２階建物ユニットの接合部を示し、（Ａ）は縦断面図、（Ｂ）は横断面図である。
【図４】図４は２階建物ユニットと３階建物ユニットの接合部を示し、（Ａ）は縦断面図、（Ｂ）は横断面図である。
【図５】図５は柱と梁の接合仕口の変形例を示し、（Ａ）は１階建物ユニットの接合仕口を示す横断面図、（Ｂ）は３階建物ユニットの接合仕口を示す横断面図である。
【図６】図６は１階建物ユニットと２階建物ユニットと３階建物ユニットの接合部を示す縦断面図である。
【図７】図７は従来のユニット建物を示す正面図である。
【符号の説明】
１０  ユニット建物
２１  １階建物ユニット
２２  ２階建物ユニット
２３  ３階建物ユニット
２１Ａ、２２Ａ、２３Ａ  柱
４１Ａ、５１Ａ  ガイドピン
３１、４３、４４、５３、５４  ジョイントプレート（接続具）
【図１】
0003924184.tif 000002
【図２】
0003924184.tif 000003
【図３】
0003924184.tif 000004
【図４】
0003924184.tif 000005
【図５】
0003924184.tif 000006
【図６】
0003924184.tif 000007
【図７】
0003924184.tif 000008